(57)【要約】【課題】  顔写真入の名刺や書類を作成するためには特別な操作が必要であり煩雑。【解決手段】  顔検出手段と、台形検出手段と、前記台形検出手段により検出された台形の中の、文字や模様の無い空き領域を検出する空き領域検出手段と、前記顔検出手段により検出した顔部分を画像内に配置する顔画像配置手段と、顔写真入り書類作成を指示する顔写真入り書類作成指示手段を備えた画像処理装置において、顔部分と台形部分を含む一つの画像データに対して前記顔写真入り書類作成指示手段が操作されたとき、前記顔検出手段により顔画像部分を検出し、前記台形検出手段により台形部分を検出し、前記空き領域検出手段により前記台形部分の空き領域を検出し、前記顔画像配置手段により前記空き領域に前記顔画像部分を配置して新たな画像データを作成する。【選択図】  図２
2007328694.tif 000002
【特許請求の範囲】
【請求項１】
顔検出手段と、台形検出手段と、前記台形検出手段により検出された台形の中の、文字や模様の無い空き領域を検出する空き領域検出手段と、前記顔検出手段により検出した顔部分を画像内に配置する顔画像配置手段と、顔写真入り書類作成を指示する顔写真入り書類作成指示手段を備えた画像処理装置において、
顔部分と台形部分を含む一つの画像データに対して前記顔写真入り書類作成指示手段が操作されたとき、前記顔検出手段により顔画像部分を検出し、前記台形検出手段により台形部分を検出し、前記空き領域検出手段により前記台形部分の空き領域を検出し、前記顔画像配置手段により前記空き領域に前記顔画像部分を配置して新たな画像データを作成することを特徴とする画像処理装置。
【請求項２】
検出した台形部分を長方形に補正する台形補正手段を備え、前記新たな画像データの台形部分に前記台形補正手段を用いて台形補正を施すことを特徴とする、請求項１に記載の画像処理装置。
【請求項３】
検出した台形部分の直線部分の歪みを補正する歪み補正手段を備え、前記新たな画像データの台形部分の直線部分の歪みに前記歪み補正手段を用いて歪み補正を施すことを特徴とする、請求項１に記載の画像処理装置。
【請求項４】
歪み補正手段とは、前記台形検出手段により検出された台形部分を構成する直製部分の直線性に基づき、歪みと判断される部分を台形部分内の周辺色により塗りつぶすものであることを特徴とする、請求項３に記載の画像処理装置。
【請求項５】
歪み補正手段とは、前記台形検出手段により検出された台形部分の淵部分から一定領域を切り捨てるものであることを特徴とする、請求項３に記載の画像処理装置。
【請求項６】
顔として検出した特長点間の距離に基づき、顔全体が入る適切な領域を自動で選択し、顔画像として抽出することを特徴とする、請求項１に記載の画像処理装置。
【請求項７】
空き領域検出手段とは、白い領域を検索する方法により空き領域を検出するものであることを特徴とする、請求項１に記載の画像処理装置。
【請求項８】
空き領域検出手段とは、コントラストが小さい領域を検索する方法により空き領域を検出するものであることを特徴とする、請求項１に記載の画像処理装置。
【請求項９】
空き領域検出手段により検出された複数の空き領域を、前記台形部分内のどの部分に位置するかにより順位付けし、顔写真を配置する位置を決定することを特徴とする、請求項１に記載の画像処理装置。
【請求項１０】
空き領域検出手段により検出された複数の空き領域を、空き領域の広さにより順位付けし、顔画像を配置する位置を決定することを特徴とする、請求項１に記載の画像処理装置。
【請求項１１】
空き領域検出手段により検出された複数の空き領域を、空き領域の広さと形状により順位付けし、顔画像を配置する位置を決定することを特徴とする、請求項１に記載の画像処理装置。
【請求項１２】
空き領域検出手段により検出された空き領域の中から決定された顔写真を配置する位置の領域の広さに基づき、埋め込む顔画像を適切な大きさにリサイズした上で配置することを特徴とする、請求項１に記載の画像処理装置。
【請求項１３】
新たな画像データの台形部分の低コントラスト領域を白で塗りつぶすことを特徴とする、請求項１に記載の画像処理装置。
【請求項１４】
新たな画像データの台形部分の低コントラスト領域を、前記台形部分の最も広い領域を占める色で塗りつぶすことを特徴とする、請求項１に記載の画像処理装置。
【請求項１５】
文字認識手段を備え、前記文字認識手段により前記台形部分内の文字を認識し、前記空き領域検出手段により適切な領域が検出できなかった場合、前記認識した文字を切り抜き、再度前記空き領域検出手段を用いて空き領域を検出し、再検出された空き領域の適切な位置１に前記切り抜いた文字を配置し、残る空き領域の適切な位置２に顔画像を配置することを特徴とする、請求項１に記載の画像処理装置。
【請求項１６】
ライブ画を表示する画像表示装置と、顔画像入り書類作成用画像撮影モードと、前記モードの選択手段を備えたデジタルカメラにおいて、前記選択手段が操作されたとき、顔画像入り書類作成用画像撮影モードとなり、顔を配置するべき領域と書類を配置するべき領域を前記画像表示装置に図形で表示することを特徴とするデジタルカメラ。
【請求項１７】
前記顔画像入り書類作成用画像撮影モードにおいて、顔を配置するべき領域と書類を配置するべき領域で、それぞれ適切なホワイトバランス処理を施すことを特徴とする、請求項１６に記載のデジタルカメラ。
【請求項１８】
前記顔画像入り書類作成用画像撮影モードにおいて、顔を配置するべき領域にＡＦ、ＡＥ、ＡＷＢを合わせての撮影と、書類を配置するべき領域にＡＦ、ＡＥ、ＡＷＢを合わせての撮影を連続して行い、両画像を繋ぎ合わせて一枚の顔画像入り書類作成用画像を作成することを特徴とする、請求項１６に記載のデジタルカメラ。
【発明の詳細な説明】
【技術分野】
【０００１】
本発明は、デジタルカメラなどの画像処理装置における、文字情報を含む画像データに対する処理に関する。
【背景技術】
【０００２】
従来の技術には、画像データのうち、文字を示す画像データを認識して文字データを生成し、他の画像データを重ね合わせることで顔写真付きの名刺などを容易に作成するものがある（例えば、特許文献１参照）。
【特許文献１】特開平１１−８５９５７号公報（第２頁、図１）
【発明の開示】
【発明が解決しようとする課題】
【０００３】
特許文献１に記載の技術おいては、顔写真付き名刺を作成する際、文字を示す画像データと、そこに重ね合わせる画像データがそれぞれ必要であり、また重ね合わせる画像データに対しては拡大/縮小処理しか行われず、撮影の時点で適切な構図で撮影されている必要があった。
【課題を解決するための手段】
【０００４】
上述の課題を解決する本発明に係る第一の構成は画像処理装置であって、顔検出手段と、台形検出手段と、前記台形検出手段により検出された台形の中の、文字や模様の無い空き領域を検出する空き領域検出手段と、前記顔検出手段により検出した顔部分を画像内に配置する顔画像配置手段と、顔写真入り書類作成を指示する顔写真入り書類作成指示手段を備えた画像処理装置において、顔部分と台形部分を含む一つの画像データに対して前記顔写真入り書類作成指示手段が操作されたとき、前記顔検出手段により顔画像部分を検出し、前記台形検出手段により台形部分を検出し、前記空き領域検出手段により前記台形部分の空き領域を検出し、前記顔画像配置手段により前記空き領域に前記顔画像部分を配置して新たな画像データを作成することを特徴とするものである。（請求項１）
本発明に係る第二の構成は、前記第一の構成における、検出した台形部分を長方形に補正する台形補正手段を備え、前記新たな画像データの台形部分に前記台形補正手段を用いて台形補正を施すことを特徴とするものである。（請求項２）
本発明に係る第三の構成は、前記第一の構成における、検出した台形部分の直線部分の歪みを補正する歪み補正手段を備え、前記新たな画像データの台形部分の直線部分の歪みに前記歪み補正手段を用いて歪み補正を施すことを特徴とするものである。（請求項３）
本発明に係る第四の構成は、前記第三の構成における、歪み補正手段とは、前記台形検出手段により検出された台形部分を構成する直製部分の直線性に基づき、歪みと判断される部分を台形部分内の周辺色により塗りつぶすものであることを特徴とするものである。（請求項４）
本発明に係る第五の構成は、前記第三の構成における、歪み補正手段とは、前記台形検出手段により検出された台形部分の淵部分から一定領域を切り捨てるものであることを特徴とするものである。（請求項５）
本発明に係る第六の構成は、前記第一の構成における、顔として検出した特長点間の距離に基づき、顔全体が入る適切な領域を自動で選択し、顔画像として抽出することを特徴とするものである。（請求項６）
本発明に係る第七の構成は、前記第一の構成における、空き領域検出手段とは、白い領域を検索する方法により空き領域を検出するものであることを特徴とするものである。（請求項７）
本発明に係る第八の構成は、前記第一の構成における、空き領域検出手段とは、コントラストが小さい領域を検索する方法により空き領域を検出するものであることを特徴とするものである。（請求項８）
本発明に係る第九の構成は、前記第一の構成における、空き領域検出手段により検出された複数の空き領域を、前記台形部分内のどの部分に位置するかにより順位付けし、顔写真を配置する位置を決定することを特徴とするものである。（請求項９）
本発明に係る第十の構成は、前記第一の構成における、空き領域検出手段により検出された複数の空き領域を、空き領域の広さにより順位付けし、顔画像を配置する位置を決定することを特徴とするものである。（請求項１０）
本発明に係る第十一の構成は、前記第一の構成における、空き領域検出手段により検出された複数の空き領域を、空き領域の広さと形状により順位付けし、顔画像を配置する位置を決定することを特徴とするものである。（請求項１１）
本発明に係る第十二の構成は、前記第一の構成における、空き領域検出手段により検出された空き領域の中から決定された顔写真を配置する位置の領域の広さに基づき、埋め込む顔画像を適切な大きさにリサイズした上で配置することを特徴とするものである。（請求項１２）
本発明に係る第十三の構成は、前記第一の構成における、新たな画像データの台形部分の低コントラスト領域を白で塗りつぶすことを特徴とするものである。（請求項１３）
本発明に係る第十四の構成は、前記第一の構成における、新たな画像データの台形部分の低コントラスト領域を、前記台形部分の最も広い領域を占める色で塗りつぶすことを特徴とするものである。（請求項１４）
本発明に係る第十五の構成は、前記第一の構成における、文字認識手段を備え、前記文字認識手段により前記台形部分内の文字を認識し、前記空き領域検出手段により適切な領域が検出できなかった場合、前記認識した文字を切り抜き、再度前記空き領域検出手段を用いて空き領域を検出し、再検出された空き領域の適切な位置１に前記切り抜いた文字を配置し、残る空き領域の適切な位置２に顔画像を配置することを特徴とするものである。（請求項１５）
本発明に係る第十六の構成は、デジタルカメラにおいて、ライブ画を表示する画像表示装置と、顔画像入り書類作成用画像撮影モードと、前記モードの選択手段を備えたデジタルカメラにおいて、前記選択手段が操作されたとき、顔画像入り書類作成用画像撮影モードとなり、顔を配置するべき領域と書類を配置するべき領域を前記画像表示装置に図形で表示することを特徴とするものである。（請求項１６）
本発明に係る第十七の構成は、前記第十六の構成における、前記顔画像入り書類作成用画像撮影モードにおいて、顔を配置するべき領域と書類を配置するべき領域で、それぞれ適切なホワイトバランス処理を施すことを特徴とするものである。（請求項１７）
本発明に係る第十八の構成は、前記第十六の構成における、前記顔画像入り書類作成用画像撮影モードにおいて、顔を配置するべき領域にＡＦ、ＡＥ、ＡＷＢを合わせての撮影と、書類を配置するべき領域にＡＦ、ＡＥ、ＡＷＢを合わせての撮影を連続して行い、両画像を繋ぎ合わせて一枚の顔画像入り書類作成用画像を作成することを特徴とするものである。（請求項１８）
【発明の効果】
【０００５】
本発明に拠れば、例えば名刺を保持した姿勢の人物を撮影した画像に対し、前記顔写真入り書類作成指示手段を操作する作業のみによって、顔写真付き名刺データを生成することができる。
【発明を実施するための最良の形態】
【０００６】
次に、本発明の詳細を実施例の記述に従って説明する。
【実施例１】
【０００７】
図１は、本発明の実施形態に係る画像処理装置の概略構成を示すブロック図である。図１において、１００は画像処理装置である。１０は撮影レンズ、１２は絞り機能を備えるシャッター、１４は光学像を電気信号に変換する撮像素子、１２０は撮像素子１４のアナログ信号出力を増幅してカメラの感度を設定するゲインアンプ、１６は撮像素子１４のアナログ信号出力をディジタル信号に変換するＡ／Ｄ変換器である。
【０００８】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は信号処理回路であり、Ａ／Ｄ変換器１６からのデータ或いはメモリ制御回路２２からのデータに対して所定の画素補間処理や色変換処理を行う。また、撮像した画像データを用いて所定の演算処理を行ない、得られた演算結果に基づいてシステム制御回路５０が露光制御手段４０、測距制御手段４２に対して制御を行なう、ＴＴＬ（スルー・ザ・レンズ）方式のＡＦ（オートフォーカス）処理、ＡＥ（自動露出）処理、ＥＦ（フラッシュプリ発光）処理を行っている。
【０００９】
さらに、信号処理回路２０においては、撮像した画像データを用いて所定の演算処理を行ない、得られた演算結果に基づいてTTL方式のAWB（オートホワイトバランス）処理も行っている。
【００１０】
２２はメモリ制御回路であり、Ａ／Ｄ変換器１６、タイミング発生回路１８、信号処理回路２０、画像表示メモリ２４、Ｄ／Ａ変換器２６、メモリ３０、圧縮・伸長回路３２を制御する。Ａ／Ｄ変換器１６のデータが信号処理回路２０、メモリ制御回路２２を介して、或いはＡ／Ｄ変換器１６のデータが直接メモリ制御回路２２を介して、画像表示メモリ２４或いはメモリ３０に書き込まれる。
【００１１】
５１は画像処理部であり、操作部７０により指示された動作指示に従い、メモリ３０から読み出した画像データに対して顔検出、台形領域検出、台形補正、文字認識などの処理、および、ある画像データに対して別の画像データを埋め込む画像合成などの処理を行う。
【００１２】
システム制御回路５０は露出制御手段１２２、輝度レベル演算手段１２３、補正ゲイン演算手段１２４を含み、１２２はメモリ制御回路２２を介してＴＴＬによって測光された輝度レベルを基に適正露出値を演算し露光制御手段４０を制御する。１２３はメモリ制御回路２２を介して撮像した画像データから輝度レベルを演算し、１２４は１２２によって測光された輝度レベルと１２３によって演算された輝度レベルを比較し適正レベルとなるよう補正値を演算して信号処理回路２０によりデジタルゲイン補正を加える。
【００１３】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００１４】
また、画像表示部２８は、システム制御回路５０の指示により任意に表示をＯＮ／ＯＦＦすることが可能である。３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッター１２を制御する露光制御手段であり、フラッシュ４８と連携することによりフラッシュ調光機能も有するものである。
【００１６】
４２は撮影レンズ１０のフォーカシングを制御する測距制御手段、４４は撮影レンズ１０のズーミングを制御するズーム制御手段である。
【００１７】
露光制御手段４０、測距制御手段４２はＴＴＬ方式を用いて制御されており、撮像した画像データを信号処理回路２０によって演算した演算結果に基づき、システム制御回路５０が露光制御手段４０、測距制御手段４２に対して制御を行う。５０は画像処理装置１００全体を制御するシステム制御回路、５２はシステム制御回路５０の動作用の定数、変数、プログラム等を記憶するメモリである。
【００１８】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。また、表示部５４は、その一部の機能が光学ファインダ１０４内に設置されている。
【００１９】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００２０】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばEEPROM等が用いられる。
【００２１】
６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００２２】
６２はシャッタースイッチＳＷ1で、不図示のシャッタースイッチの操作途中でONとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ2で、不図示のシャッタースイッチの操作完了でＯＮとなり、撮像素子１２から読み出した信号をＡ／Ｄ変換器１６、メモリ制御回路２２を介してメモリ30に画像データを書き込む露光処理、信号処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２３】
６６は画像表示ON/OFFスイッチで、画像表示部２８のON/OFFを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００２４】
６８はクイックレビューON/OFFスイッチで、撮影直後に撮影した画像データを自動再生するクイックレビュー機能を設定する。なお、本実施形態では特に、画像表示部２８をOFFとした場合におけるクイックレビュー機能の設定をする機能を備えるものとする。また、１２１は計時部で、シャッタースイッチ６２が押されてからシャッタースイッチ６４が押されるまでの時間を計測することが可能である。
【００２５】
７０は各種ボタンやタッチパネル等からなる操作部で、メニューボタン、セットボタン、マクロボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００２６】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００２７】
８２はコネクタ、８４はコネクタ、８６はアルカリ電池やリチウム電池等の一次電池やNiCd電池やNiMH電池、Li電池等の二次電池、ACアダプター等からなる電源手段である。
【００２８】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００２９】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、PCMCIAカード等の規格に準拠したものを用いて構成して構わない。
【００３０】
さらに、インタフェース９０及び９４、そしてコネクタ９２及び９６をPCMCIAカード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００３１】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００３２】
１１０は通信手段で、RS232CやUSB、IEEE1394、P1284、SCSI、モデム、LAN、無線通信、等の各種通信機能を有する。１１２は通信手段１１０により画像処理装置１００を他の機器と接続するコネクタ或いは無線通信の場合はアンテナである。２００はメモリカードやハードディスク等の記録媒体である。
【００３３】
記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００３４】
図２は、図１における画像処理部５１で行われる処理のフローを示すフローチャートである。まず、Ｓ２０１において処理対象である画像データ１（図５）に対して人間の顔を検出する顔検出処理が行われる。Ｓ２０１で顔が一つ検出された場合は、Ｓ２０２に進む。Ｓ２０２では、顔として検出された特長点（目や口）間の距離に基づき、顔全体が入る適切な領域を自動で選択し、画像データ２として切り出す（図６）。このとき自動で選択される領域の、顔の特徴点間の距離に対する大きさは、事前に、ユーザーインターフェース（ＵＩ）により使用者が設定可能である。
【００３５】
Ｓ２０１で検出された顔の数が二つ以上であった場合は、フローのＳ２１６に進む。Ｓ２１６では、検出された顔の中から一つを選択するＵＩを動作させて使用者に顔の選択を促し、顔が一つ選択されたらフローのＳ２０２に進む。Ｓ２１６で、使用者は、検出された複数の顔の中から一つを選択する以外に、任意の領域を選択することも可能である。Ｓ２１６で複数の顔の中から一つを選択しない場合と、Ｓ２０１で顔を一つも検出することができなかった場合、Ｓ２１７に進む。Ｓ２１７では、使用者が任意の領域を選択できるＵＩを動作させて領域の選択を促し、任意の領域が選択されたらその領域を画像データ２として切り出し、Ｓ２０３に進む。
【００３６】
Ｓ２０３では、画像データ１に対し、台形領検出処理が行われる（図７）。Ｓ２０３で台形領域が一つ検出された場合は、その領域を画像領域１とし、Ｓ２０４に進む（図８）。Ｓ２０３で二つ以上の台形領域が検出された場合は、その領域の最も大きいものを画像領域１とし、Ｓ２０４に進む。Ｓ２０３で台形領域が検出されなかった場合はＳ２１８に進み、使用者が任意の領域を選択できるＵＩを動作させて領域の選択を促し、任意の長方形領域が選択されたらその領域を画像領域２とし、Ｓ２０５に進む。
【００３７】
Ｓ２０４では、画像領域１に対して、台形補正処理を施して長方形の画像領域２とし、Ｓ２０５に進む。Ｓ２０５では、画像領域２の周辺部分に含まれている指や指の影を消去するために、画像領域２の歪み補正を施す（図９）。Ｓ２０５で行われる歪み補正は、画像領域２の周辺部分を、画像領域２の最も広い領域を占める色で塗りつぶす、或いは、画像領域２の淵部分から一定領域を切り捨てることによって行われる。Ｓ２０５で歪み補正された画像領域２を画像データ３として切り出し、Ｓ２０６に進む。
【００３８】
Ｓ２０６では、画像データ３に対し、画像データ２をリサイズしたものを画像合成するための空き領域検出が行われる（図１０）。Ｓ２０６で行われる空き領域検出は、白い領域を検索する、或いは、コントラストが小さい領域を検索することにより行われる。空き領域が一つまたは複数検出された場合は、その領域の広さ、形状、画像データ２の中のどの位置にあるかに基づき、画像合成領域としての適切さの順位付けを行い、最も画像合成領域として適切な領域を画像領域３とする。また空き領域が検出されなかった場合は画像領域３を設定せず、Ｓ２０７に進む。
【００３９】
Ｓ２０７では、前記画像領域３に基づき、画像合成領域を決定する。Ｓ２０７で行われる画像合成領域選択は、画像領域３が設定されている場合、画像領域３が画像合成に適しているかどうかを判断し、適していると判断した場合はその領域を画像合成領域とし、Ｓ２０８に進む。Ｓ２０７で、画像領域３が画像合成に適していないと判断した場合、Ｓ２１０に進む。Ｓ２０７で行う画像合成に適しているかどうかの判断は、画像領域３の広さに基づき判断する。
【００４０】
Ｓ２１０では、画像データ３に対し、文字検出処理が行われる。Ｓ２１０で文字が検出された場合、Ｓ２１１に進む。Ｓ２１１では、Ｓ２１０で検出された文字データを切り取り、文字データを切り取った領域を周辺色で塗りつぶし、Ｓ２１２に進む。Ｓ２１２では、Ｓ２１１で切り取った文字データを、元々あった位置から画像領域３を広くする方向に移動させ、再び画像データ３に配置する。このとき、必要に応じて前記文字データを縮小してから再配置する。Ｓ２１２で画像データ３に文字データを再配置したら、Ｓ２０６に進む。Ｓ２１０で文字が検出されなかった場合、Ｓ２１３に進み、使用者が任意の領域を選択できるＵＩを動作させて領域の選択を促し、任意の領域が選択されたらその領域を画像合成領域とし、Ｓ２０８に進む。
【００４１】
Ｓ２０８では、前記画像合成領域の大きさに基づき、前記画像データ２のリサイズを行う。このとき、図１で示した圧縮伸長３２を使用してもよい。Ｓ２０８でリサイズされた画像データ２を画像データ４とし、Ｓ２０９に進む。
【００４２】
Ｓ２０９では、前記画像合成領域に前記画像データ４を合成する処理を行い、合成画像データを作成する（図１１）。
【００４３】
図３は、図１で示した構成の画像処理装置の、画像処理部を動作させるフローの一例を示したフローチャートである。画像処理装置の電源を投入し（Ｓ３０１）、画像を撮影・記録するための撮影モードであった場合は、図１の操作部７０を操作して、記録されている画像データを見るための再生モードにする。電源投入時に再生モードになっていた場合は何もしない（Ｓ３０２、Ｓ３０３）。再生モードでは、図１の記録媒体２００または２１０に記録されている画像データが、図１の画像表示部２８に表示される。
【００４４】
図１の操作部７０を操作することで、任意の画像を選択する（Ｓ３０４）。選択した画像に対して、削除、通信手段１１０を使用してのデータ
転送などの処理を選択することが可能である。それらの処理の中から、顔写真入り書類作成処理を選択する（Ｓ３０５）。顔写真入書類作成処理が選択されると、図２でフローを示した画像処理部が動作する。このとき、Ｓ３０４で選択された画像が図２のフローにおける画像データ１である。画像処理が終了すると、図２のフローにおける画像データ４が出力される。
【００４５】
前記画像データ４は、前記画像表示部２８に画像として表示され、使用者にその画像を保存するかどうかの選択を促すＵＩが動作する（Ｓ３０７）。Ｓ３０７で保存することが選択された場合、前記画像データ４は前記記録媒体に記録される（Ｓ３０８）。Ｓ３０７で保存しないことが選択された場合、前記画像データ４は破棄される。ここで、Ｓ３０７を通らず、Ｓ３０８の画像データ４の保存処理が行われる構成でもよい。
【００４６】
図４は、図３で示したものとは別の、図２で処理フローを示した画像処理部を動作させるフローの一例を示したフローチャートである。画像処理装置の電源を投入し（Ｓ４０１）、再生モードであった場合は、図１の操作部７０を操作して撮影モードにする。電源投入時に撮影モードになっていた場合は何もしない（Ｓ４０２、Ｓ４０３）。撮影モードでは、図１の、撮像素子１４により得られた画像信号をシステム制御回路５０により信号処理部２０など制御し、逐次画像表示部２８に表示することでライブ画表示することが可能である。
【００４７】
撮影モードでは、撮影時の露出制御、フォーカスの動作、ＵＩ表示などの設定（撮影モード）を選択をすることが可能である。それらの設定の中から、顔画像入り書類作成用画像撮影モードを選択する（Ｓ４０４）。顔画像入り書類作成用画像撮影モードが選択されると、図１の画像表示部２８に表示されているライブ画に、顔を配置するべき領域と書類を配置するべき領域を前記画像表示装置に図形で表示する（Ｓ４０５）。
【００４８】
使用者は、Ｓ４０５で表示された図形に合わせて被写体を配置し、図１の操作部７０を操作することで撮影を指示する（Ｓ４０６）。撮影が指示されると、前記システム制御回路は周辺回路を制御し、前記顔を配置するべき領域にＡＦ、ＡＥ、ＡＷＢを合わせて撮影を行い、撮影画像データ１を取得する（Ｓ４０７）。Ｓ４０７の処理に続けて、今度は前記書類を配置するべき領域にＡＦ、ＡＥ、ＡＷＢを合わせて撮影を行い、撮影画像データ２を取得する（Ｓ４０８）。続いて、撮影画像データ１の、前記顔を配置するべき領域を含む領域と、撮影画像データ２の、前記書類を配置するべき領域を合成し、画像データ５を作成する（Ｓ４０９）。
【００４９】
画像データ５が作成されると、図２でフローを示した画像処理部が動作する。このとき、画像データ５が図２のフローにおける画像データ１である。画像処理が終了すると、図２のフローにおける画像データ４が出力される。画像データ４および画像データ５は、図１の記録媒体２００または２１０に記録される。
【図面の簡単な説明】
【００５０】
【図１】本発明の実施形態に係る画像処理装置の概略構成を示したブロック図
【図２】本発明の実施形態に係る画像処理のフロー
【図３】本発明の実施形態に係る画像処理を動作させるフローの一例
【図４】本発明の実施形態に係る画像処理を動作させるフローの一例
【図５】本発明の実施形態説明のための画像データ１イメージ
【図６】本発明の実施形態説明のための顔領域抽出イメージ
【図７】本発明の実施形態説明のための台形領域抽出イメージ
【図８】本発明の実施形態説明のための画像領域１イメージ
【図９】本発明の実施形態説明のための画像データ３イメージ
【図１０】本発明の実施形態説明のための空き領域検出イメージ
【図１１】本発明の実施形態説明のための合成画像イメージ
【符号の説明】
【００５１】
１０  撮影レンズ
１２  シャッター
１４  撮像素子
１６  Ａ／Ｄ変換器
１８  タイミング発生回路
２０  信号処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４８  フラッシュ
５０  システム制御回路
５１  画像処理手段
５２  メモリ
５４  表示部
５６  不揮発性メモリ
６０  モードダイアルスイッチ
６２  シャッタースイッチSW1
６４  シャッタースイッチSW2
６６  画像表示ON/OFFスイッチ
６８  クイックレビューON/OFFスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１１０  通信手段
１１２  コネクタ（またはアンテナ）
１２０  ゲインアンプ
１２１  計時部
１２２  露出演算手段
１２３  輝度レベル演算手段
１２４  補正ゲイン演算手段
２００  記録媒体
２０２  記録部
２０４  インタフェース
２０６  コネクタ
２１０  記録媒体
２１２  記録部
２１４  インタフェース
２１６  コネクタ
【図１】
2007328694.tif 000003
【図２】
2007328694.tif 000004
【図３】
2007328694.tif 000005
【図４】
2007328694.tif 000006
【図５】
2007328694.tif 000007
【図６】
2007328694.tif 000008
【図７】
2007328694.tif 000009
【図８】
2007328694.tif 000010
【図９】
2007328694.tif 000011
【図１０】
2007328694.tif 000012
【図１１】
2007328694.tif 000013